(57)【要約】      （修正有）【課題】柔らかい材質で構成された袋体を内側から補強して、内部の収納物を保護する袋体補強具を提供する。【解決手段】袋体であるリュックサック６の収納部内に装着され、支柱３１、３２と連結部材３３、３４で構成された枠体３で、リュックサック６の背面部を補強するとともに、支柱３１、３２に沿ってスライド自在に取り付けられた箱体２を設け、箱体２の中に、保護対象となる収納物を収納することで、外圧による収納物の変形を抑制する。また、箱体２を折り畳み可能とすることで、補強具１を使用しない場合の収納スペースの減容積化を図る。【選択図】図１
2017119059.tif 000002
【特許請求の範囲】
【請求項１】
内側収納部に収納物を入れる運搬用袋体の内側収納部に収納されて、袋体内の荷物を外圧から保護する袋体補強具であって、
袋体の内側面の縦方向に沿って配置される一対の支柱と、
一対の支柱の上端部の間及び／又は下端部の間に架設され、一対の支柱を所定間隔に維持する連結部材とを備えた袋体補強具
【請求項２】
前記各支柱に沿って移動自在に各設けられた移動体と、
前記各移動体を両端部に有し、前記内側収納部の前後方向と横方向に延設された補強部材とを有する請求項１に記載の袋体補強具。
【請求項３】
前記移動体は、支柱の外側に嵌め込まれ、支柱に沿って摺動移動する管状体である請求項２に記載の袋体補強具。
【請求項４】
前記補強部材は、前記移動体を背面側両端部に有する箱体であって、袋体を構成する布材よりも硬い材料で構成されている請求項３に記載の袋体補強具。
【請求項５】
前記箱体は、底部を構成する板状の底部材と、背面部を構成する背面部材と、正面部を構成する正面部材と、両側面を構成する一対の側面部材とを有し、前記側面部材は、それぞれ一対の部材をつなぎ合わせて構成され、つなぎ目において折り畳み可能に構成され、前記底部材は、前記背面部材との接続辺で折り畳み可能に構成され、箱体を構成する各部材が平行となるように折り畳み可能に構成されている請求項４に記載の袋体補強具。
【請求項６】
前記一対の支柱は、外径が順に変化する複数の直線状の管状部材を、内側に摺動可能に重なるように接続してそれぞれ構成され、長さが伸縮自在となっている請求項１に記載の袋体補強具。
【請求項７】
前記支柱の上端部及び下端部に設けられた各連結部材の各両端部に、両端が回動自在に取り付けられた補強部材を有し、
前記各補強部材は接続された連結部材とともに矩形を構成する棒状体であって、
一方の補強部材の両端は、支柱の接続部の外側に接続され、他方の補強部材は、支柱の内側に接続されており、他方の補強部材の外縁が、一方の補強部材の内縁より小さく形成されている請求項１又は６に記載の袋体補強具。
【請求項８】
前記各補強部材が前記各連結部材と回動自在に接続されている接続部には、補強部材と支柱との交差角度を固定する固定手段が設けられている請求項７に記載の袋体補強具。
【発明の詳細な説明】
【技術分野】
【０００１】
この発明は、荷物を入れて運ぶための袋体を補強する袋体補強具に係り、詳しくは袋体内に収納している荷物を外圧から保護できる構成を有する袋体補強具に関するものである。
【背景技術】
【０００２】
従来、袋状の容器に荷物を入れ、体に背負って運ぶ構造を有するものには、リュックサックなどのように、布を袋状に縫い付けられて構成された容器がある。このような容器は、構成材料が布地であるため、容器内に収納されている収納物の状態に応じて変形する。例えば、収納物が固いものである場合には、容器の形状は大きく変形することないが、柔らかいものである場合には、外側からの圧力によって容易に変形し得る。
【０００３】
また、外圧等によって変形しては不都合が生じる収納物を収納する場合には、特許文献１に記載のような硬質の外側材を有するリュックサックや、硬質の樹脂で構成されたトランクなどのように、容器自体が固い材料で作られた容器がある。このような容器に、被収納物を収納できれば、形状を変形させることなく、被収納物を運ぶことが可能となる。布製のリュックサック等の袋体であっても、特許文献２に記載のように、袋体の外側面にフレームを沿わせた構成とすることによって、袋体自体の変形をある程度抑制することができる。
【先行技術文献】
【特許文献】
【０００４】
【特許文献１】特開２０１３−９４５１４号
【特許文献２】特開２００１−６３５８３号
【発明の概要】
【発明が解決しようとする課題】
【０００５】
しかし、リュックサックのように、布製の容器の場合には、形状が容易に崩れる収納物を収納して、運ぶことは難しい。また、外圧が加わらなかったとしても、容器の中に収納物を詰め込むことによって、他の収納物の重さなどによって、各収納物に対して圧力が加わり、形状が崩れてしまうといった欠点があった。
【０００６】
さらに、既述のようなアタッシュケース等に収納して運ぶ場合には、収納物の外圧による変形は防止できるが、使用していない場合には、折りたたむことができないので、容器自体の収納スペースを広く用意する必要があるといった欠点があった。
【０００７】
この発明は、柔らかい材質で構成された袋体を内側から補強して、内部の収納物を保護する袋体補強具を提供することを目的とするものである。
【課題を解決するための手段】
【０００８】
以上のような問題を解決する本発明は以下の構成を備える。
（１）内側収納部に収納物を入れる運搬用袋体の内側収納部に収納されて、袋体内の荷物を外圧から保護する袋体補強具であって、
袋体の内側面の縦方向に沿って配置される一対の支柱と、
一対の支柱の上端部の間及び／又は下端部の間に架設され、一対の支柱を所定間隔に維持する連結部材とを備えた袋体補強具
【０００９】
（２）前記各支柱に沿って移動自在に各設けられた移動体と、
前記各移動体を両端部に有し、前記内側収納部の前後方向と横方向に延設された補強部材とを有する上記（１）に記載の袋体補強具。
【００１０】
（３）前記移動体は、支柱の外側に嵌め込まれ、支柱に沿って摺動移動する管状体である上記（２）に記載の袋体補強具。
【００１１】
（４）前記補強部材は、前記移動体を背面側両端部に有する箱体であって、袋体を構成する布材よりも硬い材料で構成されている上記（３）に記載の袋体補強具。
【００１２】
（５）前記箱体は、底部を構成する板状の底部材と、背面部を構成する背面部材と、正面部を構成する正面部材と、両側面を構成する一対の側面部材とを有し、前記側面部材は、それぞれ一対の部材をつなぎ合わせて構成され、つなぎ目において折り畳み可能に構成され、前記底部材は、前記背面部材との接続辺で折り畳み可能に構成され、箱体を構成する各部材が平行となるように折り畳み可能に構成されている上記（４）に記載の袋体補強具。
【００１３】
（６）前記一対の支柱は、外径が順に変化する複数の直線状の管状部材を、内側に摺動可能に重なるように接続してそれぞれ構成され、長さが伸縮自在となっている上記（１）に記載の袋体補強具。
【００１４】
（７）前記支柱の上端部及び下端部に設けられた各連結部材の各両端部に、両端が回動自在に取り付けられた補強部材を有し、
前記各補強部材は接続された連結部材とともに矩形を構成する棒状体であって、
一方の補強部材の両端は、支柱の接続部の外側に接続され、他方の補強部材は、支柱の内側に接続されており、他方の補強部材の外縁が、一方の補強部材の内縁より小さく形成されている上記（１）又は（６）に記載の袋体補強具。
【００１５】
（８）前記各補強部材が前記各連結部材と回動自在に接続されている接続部には、補強部材と支柱との交差角度を固定する固定手段が設けられている上記（７）に記載の袋体補強具。
【発明の効果】
【００１６】
請求項１に記載の発明によれば、袋体の内側に収納される補強具なので、袋体の外観を損ねることがなく、かつ運搬時において、補強具を構成する支柱や連結部材等が、外部の障害物等に引っ掛かるなどの不都合が抑制される。支柱と連結部材によって矩形の枠が構成され、この枠状の補強具によって、袋体に対して外側から力が加わった場合に、袋体自体の形状を維持することができ、収納されている収納物に対して外圧が作用することが抑制される。
【００１７】
請求項２に記載の発明によれば、袋体の内側収納部の内側面に沿って補強部材が立体的に位置することとなり、立体的な袋体形状を内側から補強する作用を発揮することができる。また、移動体によって補強部材の位置を任意に変更できるので、補強部材で囲まれて保護される範囲を任意に設定させることができ、袋体に作用する外圧のみならず、収容される収納物の自重による圧力からも保護することが可能となる。
【００１８】
請求項３に記載の発明によれば、支柱によって袋体全体の形状を補強することができ、さらに移動体を移動させることによって、収納物を保護できる領域を変更できる。
【００１９】
請求項４に記載の発明によれば、補強部材は箱体であるので、前後左右から加わる圧力に対して、収納物を保護することが可能となる。また移動体を支柱に沿って移動させることによって、袋体内での補強部材の位置を任意に変更できる。
【００２０】
請求項５に記載の発明によれば、箱体となっている補強部材は、箱体を構成する各部材が平行となるように折り畳み可能に構成されているので、補強具を使用しない時の収納空間を縮小させることができる。
【００２１】
請求項６に記載の発明によれば、支柱が伸縮自在に構成されているので、補強する袋体の大きさに応じて補強具の大きさを調整することができる。
【００２２】
請求項７に記載の発明によれば、補強部材を支柱に対して平行となるように、折り畳むことが可能となり、折り畳み状態では、他方の補強部材が一方の補強部材の内側に位置し、支柱と一対の補強部材が同一平面上に位置することとなるので、より小さく折り畳むことが可能となる。
【００２３】
請求項８に記載の発明によれば、支柱に対する補強部材の設定角度を任意の角度に固定することが可能となり、袋体の形状に応じて、収納物を保護する領域に任意に変更することができる。
【図面の簡単な説明】
【００２４】
【図１】本発明の使用状態を示す全体斜視図である。
【図２】本発明の使用状態を示す全体斜視図である。
【図３】本発明の使用状態を示す全体斜視図である。
【図４】補強部材の構成を示す分解斜視図である。
【図５】第２の実施形態の構成を示す全体斜視図である。
【図６】第２の実施形態の構成を示す全体斜視図である。
【図７】第２の実施形態の構成を示す不使用時の側面図である。
【図８】第２の実施形態の補強具が装着される袋体の構成を示す部分斜視図である。
【図９】第３の実施形態の構成を示す全体斜視図である。
【図１０】第３の実施形態における収納状態を示す全体斜視図である。
【図１１】第３の実施形態における補強部材の接続部の構造を示す部分斜視図である。
【発明を実施するための形態】
【００２５】
以下、本発明の袋体補強具を添付図面に基づいて詳述する。図１は、本発明の袋体補強具が装着されている袋体であるリュックサック６の全体斜視図である。図２は、同様にリュックサック６の全体斜視図であり、収納部６１０の開口部６１１を示す図である。リュックサック６は、袋状の本体６１と、本体開口部６１１を覆う蓋体６２と、本体６１の背面側に設けられた左右ショルダストラップ６３Ｌ、６３Ｒとを有している。本体６１及び蓋体６２は布等のシート材で構成され、使用されない場合には、コンパクトに折り畳むことができる。本体６１は、袋状に構成され、全体として略縦長の直方体形状に構成されている。
【００２６】
本体６１の内側には、荷物を収納するための空間である収納部６１０が設けられ、収納部６１０の上端部に開口部６１１を有している。開口部６１１の背面側には、蓋体６２が接続されており、この接続部６２０を介して蓋体６２は、本体６１に対して開閉自在となっている。本体６１の開口部６１１と、蓋体６２の外周縁とには、ファスナーエレメント６４１、６４２が設けられ、スライダー６４３、６４４をスライドさせることによって、ファスナーエレメント６４１、６４２を開閉させる構成となっている。
【００２７】
以上のように構成されるリュックサック６の内側収納部６１０内に、本発明の袋体補強具１が装着される。この明細書では、リュックサック６において、ショルダストラップ６３Ｌ、６３Ｒが設けられている側を背面側、その対向面を正面側とし、リュックサック６を人が背負った状態を前提として、上下方向（鉛直方向）、前後方向（正面から背面へ向かう方向）、横方向（左右方向）として説明する。
【００２８】
袋体補強具１は、枠体３と、枠体３の支柱３１、３２に取り付けられた補強部材２とを有している。枠体３は、一対の支柱３１、３２と、支柱３１、３２の上端と下端に架設された連結部材３３、３４とを有している。枠体３と補強部材２を構成する材料は、外圧によって容易に変形しない程度の硬い材料で構成されている。具体的には、硬質の樹脂、アルミニウム等の軽金属、合金等で構成されている。
【００２９】
支柱３１、３２は、横断面が円形であって、リュックサック６の本体６１の収納部６１０の深さ（上下長さ）と略等しい長さに構成されている。また、支柱３１、３２の上端部には、連結部材３４の両端がそれぞれ接続され、支柱３１、３２の下端部には、連結部材３３の両端がそれぞれ接続されている。各連結部材３３、３４は、収納部６１０の左右方向の長さ（横方向の長さ）と略等しい長さに構成されている。以上のとおり、枠体３は、縦方向の長さが収納部６１０の深さに設定され、横方向の長さが収納物６１０の左右方向の長さに設定されており、リュックサック６の上下方向及び横方向の外圧に対して、補強作用が発揮される。図１及び図２に示されている例では、枠体３は、リュックサック６の背面側に配置されているが、正面側に配置されていてもよい。
【００３０】
支柱３１、３２の間には、補強部材である箱体２が設けられている。箱体２は、背面側の背面部材２１と、背面部材２１に対して平行に配置される正面部材２２と、背面部材２１と正面部材２２の各両端部の間に配置された側面部材２４、２４と、底面部材２３とを有している。
【００３１】
各部材２１、２２、２３、２４、２４を構成する部材は、少なくとも袋体を構成する布材よりも硬い材料で構成されており、例えば、支柱３１、３２の構成材料と同様の材料によって構成することができる。図３に示されているように、箱体２は、使用しない場合には、折り畳んでおくことができる。
【００３２】
図４に示されているように、背面部材２１の両端には、移動体としての管状の軸挿通部２１１、２１１が形成されている。左右両端の軸挿通部２１１、２１１には、それぞれ支柱３１、３２が摺動自在に挿通しており、箱体２は、左右両端の挿通部２１１、２１１を介して、上下方向に移動自在に構成され  ている。
【００３３】
側面部材２４は、２枚の板片２４ａ、２４ｂで構成され、板片２４ａ、２４ｂは、折り曲げ部２４ｃを介して接続されている。折り曲げ部２４ｃは、側面部材２４が樹脂製の場合には、板厚を特に薄く形成することで構成され、金属製の場合には、板片２４ａ、２４ｂの突合せ部分にシートを貼り付けて構成することができる。
【００３４】
側面部材２４は、前後方向に向けて配置され、一端は背面部材２１の端部に接続され、他端は正面部材２２の端部に接続されている。
挿通部２１１、２１１の間には、側面部材２４の端部中央部に形成されている管状体２４１ａが介挿され、支柱３１が挿通する。他端の挿通部２１１、２１１にも、側面部材２４の端部中央部に形成されている管状体２４１ａが介挿され、支柱３２が挿通する。このような構成とすることによって、側面部材２４の板片２４ａは、背面部材２１に対して回動自在に接続される。同様に、側面部材２４の他端には、管状体２４１ｂが形成されている。
【００３５】
正面部材２２の左右方向の両端には、上下端部に管状体２２１、２２１が設けられ、左右の管状体２２１、２２１の間には、側面部材２４の管状体２４１ｂが介挿され、管状体２２１、２２１と管状体２４１ｂとには、回動軸が同時に挿通している。このような構成によって、側面部材２４の板片２４ｂは、正面部材２２に対して回動自在に接続される。
【００３６】
一方、背面部材２１の下端辺には、底部材２３が折り曲げ自在に接続されている。底部材２３の周端部には、切欠き２３１が形成されている。底部材２３の長辺は、背面部材２１と正面部材２２の長辺と同じ長さに形成されており、短辺は、側面部材２４の幅と同じ長さに形成されている。側面部材２４の板辺２４ａ、２４ｂが直線状に繋がった状態で、一対の側面部材２４、２４と背面部材２１と正面部材２２とによって矩形を形成し、底部材２４を該矩形の内側に嵌め込むことで、箱体２が構成される。箱体２には、さらに箱体２の上面を覆う蓋部材を設けてもよい。
【００３７】
箱体２内には、変形等が好ましくない収納物を収納する。箱体２は、図１に示されているように、リュックサック６の内側収納部６１０において、任意の上下位置に設定可能である。例えば、箱体２の下側には、外圧によって変形しても支障のない収納物を収納し、箱体２の上側には、使用頻度が高いものを収納し、箱体２内には、変形が好ましくない収納物を収納する。このようにすることによって、箱体２内の収納物は、リュックサック６の外側からの衝撃から保護されるとともに、リュックサック６内で上側に載せられた収納物の重量による変形からも保護されることとなる。
【００３８】
図３に示されているように、補強部材である箱体２を使用しない場合には、底部材２３を下側に落とし、側面部材２４、２４の折り曲げ部２４ｃを内側に折り曲げることによって、背面部材２１、側面部材２４の板片２４ａ、２４ｂ、正面部材２２、底部材２３が相互に平行な状態、つまり箱体２が折り畳まれた状態とすることができる。不使用時においては、箱体２の容積は略零となるので、リュックサック６の収容容積の縮小を抑えることができる。
【００３９】
次に、図５〜図８に基づいて、本発明の第２実施形態の袋体補強具７Ａについて説明する。袋体補強具７Ａは、一対の支柱７２Ｌ、７２Ｒと、各支柱７２Ｌ、７２Ｒの基端に接続された基端部材７１Ｌ、７１Ｒと、支柱７２Ｌ、７２Ｒの上端に接続された連結部材７３とを有している。支柱７２Ｌ、７２Ｒは、それぞれ同じ構成であるので、一方の支柱７２Ｒについて説明し、他方の支柱７２Ｌの説明については省略する。
【００４０】
図６に示されているように、支柱７２Ｒは、複数の管状部材７２１Ｒ〜７２４Ｒを連結することによって構成される。管状部材７２１Ｒ〜７２４Ｒは、管状に構成され、基端側（下端）７２１Ｒから先端側（上端）７２４Ｒへ向けて順に管径が小さくなるように構成されている。管状部材の外径は、基端側に隣接する管状部材の内径と同じに構成されており、基端側の管状部材の先端部内側に、先端側に隣接する管状部材の基端部が摺動自在に挿入されており、基端側管状部材内に先端側に隣接する管状部材が没入することにより支柱７２Ｒが縮小し、突出することにより伸長する。
【００４１】
最も基端に位置する管状部材７２１Ｒの基端には、基端部材７１Ｒの基端部が、軸７１１Ｒを中心に回動自在に、かつ前後方向に向けて接続されている。基端部材７１Ｒは、リュックサック６の内側収納部６１０の底部に配置される。同様に、最も基端に位置する管状部材７２１Ｌの基端には、基端部材７１Ｌの基端部が、軸７１１Ｌを中心に回動自在に、かつ前後方向に向けて接続されている。
【００４２】
連結部材７３の両端部には、同じ方向に屈曲形成された挿入部７３１Ｌ、７３１Ｒが設けられている。最も先端に位置する管状部材７２４Ｌ、７２４Ｒの先端部には、連結部材７３の挿入部７３１Ｌ、７３１Ｒの先端部が摺動自在に挿入されている。
以上のような構成において、支柱７２Ｌ、７２Ｒは任意の長さに調節することができる。また、図７に示されているように、不使用時の収納状態では、支柱７２Ｌ、７２Ｒを最も縮小させた状態とし、基端部材７１Ｌ、７１Ｒに重ねるように背面側へ倒す。このように折り畳まれた補強具７Ａは、リュックサック６から取り出しててもよいが、そのまま底部に収容しておいてもよい。
【００４３】
図８に示されているように、リュックサック６の内側収納部６１０の底部には、基端部材７１Ｌ、７１Ｒの収容部６１５が設けられている（図８では、基端部材７１Ｒの収容部６１５のみ描かれている）。収容部６１５は、リュックサック６の内側収納部６１０において、底面６１１と側面６１２の接続部分に配置され、背面６１３から正面側へ向けて配置されている。収容部６１５は、２枚のシート片６１６、６１５で構成され、シート片６１６は、底面６１１に一端辺が前後方向へ向けて縫い付けられ、シート片６１５は、側面６１２に一端辺が前後方向へ向けて縫い付けられており、相互に対向する各他端辺には、ファスナーを構成するエレメント６Ｆ２、６Ｆ１がそれぞれ設けられている。
【００４４】
エレメント６Ｆ２、６Ｆ１は、スライダー６Ｆ３で開閉される。以上のような構成において、補強具７Ａをリュックサック６内に装着する場合には、スライダー６Ｆ３をスライドさせてファイナーを開け、収容部６１５内に基端部材７１Ｌ、７１Ｒを挿入し、ファスナーを閉じる。これにより、補強具７Ａがリュックサック６内に固定される。
【００４５】
図９〜図１１に基づいて、第３の実施形態の袋体補強具７Ｂについて説明する。袋体補強具７Ｂは、一対の支柱７６ａ、７６ｂと、該支柱７６ａ、７６ｂの基端部と先端部とを連結し、全体して矩形の枠体を構成する連結部材７５、７９と、該連結部材７５、７９に回動自在に接続された補強部材７４、７９とを有している。
【００４６】
支柱７６ａは、複数の管状部材７６ａ−１〜ｎ（ｎは２以上の自然数（本実施形態ではｎ＝２））を連結して構成されている。管状部材７６ａ−１、７６ａ−２は、管状に構成され、基端側（下端）７６ａ−１から先端側（上端）７６ａ−２へ向けて順に管径が小さくなるように構成されている。管状部材の外径は、基端側に隣接する管状部材の内径と同じに構成されており、基端側の管状部材の先端部内側に、先端側に隣接する管状部材の基端部が摺動自在に挿入されており、基端側管状部材内に先端側に隣接する管状部材が没入することにより支柱７６ａが縮小し、突出することにより伸長する。支柱７６ａの基端には、連結部材７５と回動自在に連結されるための管状の基端軸受部７６１ａが設けられ、先端には、連結部材７９と回動自在に連結されるための管状の先端軸受部７６２ａが設けられている。支柱７６ｂについても、支柱７６ａと同様な構成であるので、説明を省略する。
【００４７】
連結部材７５の両端には、支柱７６ａ、７６ｂの基端軸受部７６１ａ、７６１ｂと、第１補強部材７４の両端軸受部７４１ａ、７４１ｂを回動自在に支持するための軸７５１ａ、７５１ｂ（軸７５１ａは、図中に示されていない）が、軸線上に設けられている。軸７５１ａ、７５１ｂには、内側に支柱７６ａ、７６ｂの基端軸受部７６１ａ、７６１ｂが接続され、その外側に第１補強部材７４の両端軸受部７４１ａ、７４１ｂが接続されている。
【００４８】
同様に、連結部材７９の両端には、支柱７６ａ、７６ｂの先端軸受部７６２ａ、７６２ｂと、第２補強部材７８の両端軸受部７８１ａ、７８１ｂを回動自在に支持するための軸７９１ａ、７９１ｂ（軸７９１ａは、図中に示されていない）が、軸線上に設けられている。軸７９１ａ、７９１ｂには、内側に第２補強部材７８の両端軸受部７８１ａ、７８１ｂが接続され、その外側に支柱７６ａ、７６ｂの先端軸受部７６２ａ、７６２ｂが接続されている。
【００４９】
各軸７５１ａ、７５１ｂ、軸７９１ａ、７９１ｂと、各軸受部７６１ａ、７６１ｂ、７４１ａ、７４１ｂ、７６２ａ、７６２ｂ、７８１ａ、７８１ｂとの間の嵌め合い公差は、回動にある程度の摩擦抵抗が生じ程度のものであり、具体的には、連結部材７５、７９に対して支柱７６ａ、７６ｂや第１、第２の補強部材７４、７８を回動操作する際に、抵抗が生じるが、手動で回動操作できる程度のものである。このような回動抵抗が生じるように構成することによって、装着したリュックサック６の内側収納部６１０内で、補強具７Ｂの形状を維持する機能が発揮される。第１の補強部材７４及び第２の補強部材７８は、棒状の部材の両端を同じ方向に屈曲形成した形状であって、その屈曲部の先端を連結部材７５、７９で連結することで、連結部材と補強部材で枠体を構成する形状となっている。
【００５０】
第３実施形態の袋体補強具７Ｂは、連結部材７５、７９と一対の支柱７６ａ、７６ｂとによって構成された枠体と、連結部材７５と補強部材７４とによって構成された枠体と、連結部材７９と補強部材７８とによって構成された枠体との３つの枠体を備えることとなる。このような補強具７Ｂが、リュックサック６の内側収納部６１０内に収納されると、連結部材７５、７９と一対の支柱７６ａ、７６ｂとによって構成された枠体はリュックサック６の背面を補強し、連結部材７５と補強部材７４とによって構成された枠体はリュックサック６の底部を補強し、連結部材７９と補強部材７８とによって構成された枠体はリュックサック６の蓋体の部分を補強する。また、リュックサック６の内側収納部６１０内に収納する際の向きを逆にすることで、連結部材７５、７９と一対の支柱７６ａ、７６ｂとによって構成された枠体はリュックサック６の正面を補強するようにすることもできる。
【００５１】
第１補強部材７４の内側寸法よりも、第２補強部材７８の外側寸法を大きくするように構成されている。換言すると、第１補強部材７４の内縁は、第２補強部材７８の外縁よりも大きくなるように形成されている。このような構成とすることによって、各連結部材７５、７９に対して各部材を回動させて折り畳んだ際、第１補強部材７４の内側に第２補強部材７８や支柱７６ａ、７６ｂを納めることができ、不使用時の収納容積を最も小さくすることができる。
【００５２】
上記構成の他、第３実施形態では、連結部材７５、７９と、支柱７６ａ、７６ｂや第１補強部材７４、第２補強部材７８との回動部分の構成を、図１１に示されているような他の構成にすることもできる。連結部材７５の端部には軸を設けず、連結部材の端面にネジ穴を形成し、該ネジ穴に螺合するオス螺子を先端に有する軸７５２ｂを外側から挿入する。軸７５２ｂは、軸受部７４１ｂ、７６１ｂの軸受け孔７４２ｂを挿通し、補強部材７４や支柱７６ｂの回動軸として機能するが、先端のオス螺子を締めこむことによって、補強部材７４や支柱７６ｂの回動を固定させることが可能となる。つまり、軸７５２ｂを緩めることで、支柱７６ａ、７６ｂに対する補強部材７４、７８の角度を容易かつ任意設定することができ、さらに、角度設定後に軸７５２ｂを締め付けることで、設定した角度を確実に維持することができる。
【産業上の利用可能性】
【００５３】
以上説明したように本発明に係る袋体補強具は、リュックサックの他、バックなどの他の袋体に用いるものとしても好適なものである。
【符号の説明】
【００５４】
１  袋体補強具
２  箱体（補強部材）
３  枠体
３１、３２  支柱
３３、３４  連結部材
６  リュックサック
６１  本体
６１０  収納部
６２  蓋体
７Ａ、７Ｂ  袋体補強具
７１Ｌ、７１Ｒ  基端部材
７２Ｌ、７２Ｒ  支柱
７６ａ、７６ｂ  支柱
７５、７９  連結部材
７４、７９  補強部材
【図１】
2017119059.tif 000003
【図２】
2017119059.tif 000004
【図３】
2017119059.tif 000005
【図４】
2017119059.tif 000006
【図５】
2017119059.tif 000007
【図６】
2017119059.tif 000008
【図７】
2017119059.tif 000009
【図８】
2017119059.tif 000010
【図９】
2017119059.tif 000011
【図１０】
2017119059.tif 000012
【図１１】
2017119059.tif 000013